(57)【要約】【課題】換気ファンの停止中に室内の圧力が室外の圧力より高くなった場合にも室内の空気が室外に排出されてしまうことを確実に抑制することが可能な換気装置を提供する。【解決手段】強磁性体材料から形成され、閉止状態において、室外から室内への空気の逆流を規制する逆風止め１１１と、直流電流の通電により生じる磁力によって逆風止めを吸着し、逆風止めを閉止状態に維持する電磁石１１３とを備え、電磁石への直流電流の通電を停止して、電磁石に生じる磁力を解除することにより、逆流止めが開放状態となって、換気ファン１０１の駆動により室内の空気が排気路（排気ダクト）１０６を通流することを許容するように構成するとともに、電磁石１１３は、逆風止め１１１に向かって突出する突出部１１４を備えており、突出部１１４は、逆風止めと当接する尖った先端部１１５を有している構成とする。【選択図】図２
2018071849.tif 000002
【特許請求の範囲】
【請求項１】
排気ファンを駆動することにより、排気路を経て室内の空気を室外に排出するように構成された換気装置であって、
少なくとも所定領域が強磁性体材料から形成され、閉止状態において、前記排気路から前記換気ファンへの空気の流れである逆流を規制する逆風止めと、
直流電流の通電により生じる磁力によって、前記逆風止めの前記強磁性体材料から形成された前記所定領域を吸着して、前記逆風止めを前記閉止状態に維持する電磁石と、を備え、
前記電磁石への前記直流電流の通電を停止して、前記電磁石に生じる磁力を解除することにより、前記逆流止めが開放状態となって、前記換気ファンの駆動により室内の空気が前記排気路を通流して室外に排出されることを許容するように構成されているとともに、
前記電磁石は、前記逆風止めに向かって突出する突出部を備えており、前記突出部は、前記逆風止めと当接する尖った先端部を有していること
を特徴とする換気装置。
【請求項２】
前記突出部を複数備えていることを特徴とする請求項１記載の換気装置。
【発明の詳細な説明】
【技術分野】
【０００１】
本発明は、換気装置に関し、詳しくは、例えば、調理機器などとともに用いられる換気装置に関する。
【背景技術】
【０００２】
室内空気を室外に排出する目的で用いられる換気装置には、室外から室内への空気の逆流を防止するための逆風止めを備えた構造を有する換気装置が広く用いられている。
【０００３】
そして、そのような換気装置として、特許文献１には、換気ファンから室外への排気路に、逆風止めを設けた換気装置（ミスト浴装置）が開示されている。
【０００４】
この特許文献１には、逆風止めについての詳細な説明はないが、換気ファンから室外への排気路に逆風止めを備えることで、室外から室内への空気の流入を抑制、防止することが可能になるものと考えられる。
【０００５】
通常、上述の室外は、屋外であることが多く、特許文献１の換気装置によれば、冬季において屋外からの低温の空気が室内に流入することを抑制、防止することができて有意義である。
【先行技術文献】
【特許文献】
【０００６】
【特許文献１】特開２０１４−００４０９５号公報
【発明の概要】
【発明が解決しようとする課題】
【０００７】
ところで、特許文献１の換気装置において、換気ファンが停止している場合、屋外において強風が吹いた場合などにおいては、室内（屋内）の圧力が室外（屋外）の圧力より高くなる場合がある。そして、そのような場合、使用者が希望しないにもかかわらず、室内（屋内）の空気が室外（屋外）に排出されてしまう事態が生じうる。すなわち、逆風止めは、室外（屋外）から空気が室内（屋内）に流入する機能は果たすが、室内（屋内）から室外（屋外）に空気が流出することを抑制、防止する機能は備えていない。
【０００８】
そして、例えば、冬季において室内（屋内）を暖房している場合に、室内（屋内）の空気が室外（屋外）に排出されてしまうと、暖房にかかるエネルギロスが生じることになり好ましくないという問題点がある。
【０００９】
本発明は、上記課題を解決するものであり、換気ファンの停止中に室内の圧力が室外の圧力より高くなった場合にも、使用者の意図に反して、室内の空気が室外に排出されてしまうことを抑制することが可能な換気装置を提供することを目的とする。
【課題を解決するための手段】
【００１０】
上記の目的を達成するために、本発明の換気装置は、
排気ファンを駆動することにより、排気路を経て室内の空気を室外に排出するように構成された換気装置であって、
少なくとも所定領域が強磁性体材料から形成され、閉止状態において、前記排気路から前記換気ファンへの空気の流れである逆流を規制する逆風止めと、
直流電流の通電により生じる磁力によって、前記逆風止めの前記強磁性体材料から形成された前記所定領域を吸着して、前記逆風止めを前記閉止状態に維持する電磁石と、を備え、
前記電磁石への前記直流電流の通電を停止して、前記電磁石に生じる磁力を解除することにより、前記逆流止めが開放状態となって、前記換気ファンの駆動により室内の空気が前記排気路を通流して室外に排出されることを許容するように構成されているとともに、
前記電磁石は、前記逆風止めに向かって突出する突出部を備えており、前記突出部は、前記逆風止めと当接する尖った先端部を有していること
を特徴としている。
【００１１】
また、本発明の換気装置においては、前記突出部を複数備えていることが好ましい。
【発明の効果】
【００１２】
本発明の換気装置は、上述のように、逆風止めと電磁石とを備え、電磁石への直流電流の通電により生じる磁力によって、逆風止めを吸着して、逆風止めを閉止状態に維持するように構成されているので、換気ファンの停止中に、室内の圧力が室外の圧力より高くなる状態が生じたときにも、使用者の意図に反して、室内の空気が室外に排出されてしまうことを抑制することが可能になる。
しかも、逆風止めに当接する前記電磁石の当接部が、尖った先端部を有する突出部を備えているので、逆風止めと電磁石との間に小さなゴミが入り込んだり、逆風止めや、電磁石の逆風止めとの当接部などに油膜のような汚れが付着したりしたような場合にも、上記突出部の尖った先端部において、電磁石が逆風止めに確実に当接するため、電磁石（磁力）による逆風止めの吸着保持の信頼性を向上させることができる。
【００１３】
したがって、本発明によれば、換気ファンの停止中に、室内の圧力が室外の圧力より高くなる状態が生じたときにも、使用者の意図に反して、室内の空気が室外に排出されてしまうことを抑制することが可能な換気装置を提供することができるようになる。
【００１４】
なお、本発明において、逆風止めは、少なくとも所定領域が、電磁石の磁力により吸着される強磁性体から形成されていればよく、他の部分は強磁性体から形成されていなくてもよい。ただし、本発明は、逆風止めの全体が強磁性体から形成されている場合を排除するものではなく、逆風止めの全体が強磁性体から形成された構成も本発明に含まれる。
【００１５】
また、本発明において、前記電磁石の逆風止めに向かって突出する突出部が備える「逆風止めと当接する尖った先端部」とは、例えば、円錐や角錐の頂点のような尖端部を意味するものであるが、その具体的な形状は、必ずしも円錐や角錐の頂点を含む先端領域のような整った形状でなくてもよく、逆風止めと電磁石との間に小さなゴミが入り込んだり、逆風止めと電磁石に油膜のような汚れが付着したりしたような場合にも、電磁石と逆風止めとの当接を確実ならしめることができるような形状であればよい。
【００１６】
また、本発明の換気装置において、突出部と逆風止めとの当接をより確実なものとすることが可能になり、本発明をさらに実効あらしめることができる。
【図面の簡単な説明】
【００１７】
【図１】本発明の一実施形態にかかる換気装置（レンジフード）の切欠き正面図である。
【図２】本発明の一実施形態にかかる換気装置（レンジフード）の逆風止めの閉止状態における排気ダクト周辺の正断面図である。
【図３】本発明の一実施形態にかかる換気装置（レンジフード）の逆風止めの開放状態における排気ダクト周辺の正断面図である。
【発明を実施するための形態】
【００１８】
以下、本発明の実施形態を示して、その特徴とするところをさらに詳しく説明する。
【００１９】
［実施形態］
この実施形態では、レンジフードとして用いられる換気装置を例にとって説明する。
【００２０】
本発明の実施形態にかかる換気装置（レンジフード）１１０は、図１に示すように、ガスコンロ（図示せず）とともに、台所に設置されて用いられるものである。
そして、このレンジフード１１０を作動させるための電源としては、商用電源（ＡＣ１００Ｖ）が使用されている。
【００２１】
レンジフード１１０は、換気ファン１０１、換気ファン１０１を駆動するモータ１０７、台所内の空気の吸い込み口であるフード部１０３、および、排気ダクト１０６を備えている。
【００２２】
そして、換気ファン１０１を駆動するモータ１０７に通電して、換気ファン１０１を駆動することにより、フード部１０３から吸い込んだ台所内の空気が、排気路を経由して、台所の外部（屋外）に排出されるように構成されている。
【００２３】
なお、この実施形態にかかる換気装置（レンジフード）では、レンジフード１１０の排気ダクト１０６に延長用排気筒（図示せず）が接続され、レンジフード１１０のフード部１０３から吸引された台所内の空気は、排気ダクト１０６から上記延長用排気筒を経て、台所の外部に排出される。したがって、上記の排気ダクト１０６およびそれに接続された延長用排気筒などが本発明における排気路を構成する。
【００２４】
＜特徴的構成＞
次に、本発明の実施形態にかかる換気装置（レンジフード）１１０の特徴的な構成について説明する。
【００２５】
本発明の実施形態にかかる換気装置（レンジフード）１１０は、排気路を構成する排気ダクト１０６内に逆風止め１１１を備える。
【００２６】
逆風止め１１１は支軸１１２に軸支されており、支軸１１２を中心に揺動可能に構成されている（図２、図３参照）。
この逆風止め１１１は、その閉止状態において排気ダクト（排気路）１０６を略閉塞し（図２参照）、排気ダクト（排気路）１０６から換気ファン１０１への空気の通流、すなわち逆流を規制する機能を果たす。
【００２７】
この逆風止め１１１は強磁性体（例えば、アルミめっき鋼板、ＳＵＳ４３０など）から構成されている。
【００２８】
さらに、この実施形態にかかる換気装置（レンジフード）１１０は、直流電流の通電により磁力を生じる電磁石１１３を備えている（図２、図３参照）。この電磁石１１３は、直流電流の通電により生じる磁力によって逆風止め１１１を吸着して、逆風止め１１１を閉止状態に維持する機能を果たす。
なお、電磁石１１３の逆風止め１１１と当接する当接部には、逆風止め１１１と当接する尖った先端部（以下、単に「尖端部」ともいう）１１５を備えた突出部１１４が設けられている。
【００２９】
上述のように、この実施形態においては、逆風止め１１１は強磁性体から構成されているが、これは、電磁石１１３の磁力によって吸着して逆風止め１１１を維持することができるようにするためである。ただし、逆風止め１１１は、電磁石１１３により吸着される所定領域が強磁性体から形成されていればよく、その他の部分は強磁性体から形成されていなくてもよい。
【００３０】
そして、電磁石１１３への通電を停止して電磁石１１３に生じる磁力を解除し、換気ファン１０１を駆動することにより、排気ダクト１０６内での空気の流れ、圧力の上昇が発生し、それらが駆動力となって、逆風止め１１１が支軸１１２を中心に揺動し、空気の通流を許容する開放状態（図３参照）に移行するように構成されている。
【００３１】
そして、この実施形態にかかる換気装置（レンジフード）１１０において、
電磁石１１３は、上述のように、逆風止め１１１と当接する尖った先端部（尖端部）１１５を有する突出部１１４を複数備えている。
また、上述の電磁石１１３には、逆風止め１１１に向かって突出した突出部１１４が設けられており、この突出部１１４の、逆風止め１１１と対向する先端には、鋭角に尖った先端部である尖端部１１５が形成されている。
【００３２】
この実施形態にかかる換気装置（レンジフード）１１０のように、電磁石１１３が備える突出部１１４の先端側に、鋭角に尖った尖端部１１５を設けることにより、逆風止め１１１と電磁石１１３との間に小さなゴミが入り込んだり、逆風止め１１１や、電磁石１１３の逆風止め１１１との当接部などに油膜のような汚れが付着したりしたような場合にも、電磁石１１３がその尖端部１１５において、逆風止め１１１に確実に当接する。
【００３３】
この実施形態の換気装置（レンジフード）１１０は上述のように構成されており、強磁性体で形成された逆風止め１１１と、突出部１１４の先端側に尖端部１１５を有する電磁石１１３とを組み合わせて用いるようにしているので、換気ファン１０１が停止し、逆風止め１１１が閉止状態にある場合に、電磁石１１３の吸着力により、逆風止め１１１の閉止状態を確実に維持して、室内の圧力が室外の圧力より高くなる状態が生じたときにも、使用者の意図に反して、室内の空気が室外に排出されてしまうことを抑制することが可能になる。
【００３４】
しかも、逆風止め１１１に当接する電磁石１１３の突出部１１４の先端側に、鋭角に尖った尖端部１１５を設けるようにしているので、逆風止め１１１と電磁石１１３との間に小さなゴミが入り込んだり、逆風止め１１１や、電磁石１１３の逆風止め１１１との当接部などに油膜のような汚れが付着したりしたような場合にも、電磁石１１３の上記尖端部１１５を介して、逆風止め１１１を確実に吸着する（閉止状態を維持する）ことができる。
【００３５】
その結果、ゴミや油膜のような汚れなどが付着した場合にも、逆風止め１１１を電磁石１１３により吸着して、逆風止め１１１を確実に閉止状態に維持することが可能な信頼性の高い換気装置（レンジフード）を提供することが可能になる。
【００３６】
また、この実施形態の換気装置（レンジフード）は、上述のように、電磁石が、尖端部１１５を有する突出部１１４を複数備えているので、電磁石１１３による逆風止め１１１の吸着をより確実に行うことが可能になり、より信頼性の高い換気装置（レンジフード）を提供することができる。
【００３７】
なお、本発明は、レンジフードに限らず、換気機能を有する浴室暖房乾燥機など、レンジフード以外の機器にも適用することが可能である。
【００３８】
本発明はさらにその他の点においても上記実施形態に限定されるものではなく、発明の範囲内において種々の変形を加えることが可能である。
【符号の説明】
【００３９】
１０１      排気ファン
１０３      フード部
１０６      排気ダクト
１０７      モータ
１１０      換気装置（レンジフード）
１１１      逆風止め
１１２      支軸
１１３      電磁石
１１４      突出部
１１５      突出部の尖った先端（尖端部）
【図１】
2018071849.tif 000003
【図２】
2018071849.tif 000004
【図３】
2018071849.tif 000005